(57)【要約】      （修正有）【課題】記載内容を容易に把握可能に、記載することができるノート等の文房具を提供する。【解決手段】見開きのページ２、３が繰り返し設けられた文房具１であって、見開きのページの最上段には、一定の幅により水平方向に延長する帯状領域により見出し記入欄４が設けられる。見出し記入欄４の下側には、一定のピッチにより水平線及び垂直線による罫線が設けられて詳細内容の記載欄５が設けられ、詳細内容の記載欄５を水平方向及び垂直方向に領域分割する境界を設定するためのマーカーＭ１Ｈ、Ｍ２Ｈ、Ｍ１Ｖ、Ｍ２Ｖ、Ｍ３Ｖが設けられている。【選択図】図１
0003207144.tif 000002
【実用新案登録請求の範囲】
【請求項１】
見開きのページが設けられた文房具であって、
前記見開きのページの最上段には、
一定の幅により水平方向に延長する帯状領域により見出し記入欄が設けられ、
前記見開きのページの前記見出し記入欄の下側には、
一定のピッチにより水平線及び垂直線による罫線が設けられて詳細内容の記載欄が設けられ、
前記詳細内容の記載欄を水平方向及び垂直方向に領域分割する境界を設定するためのマーカーが設けられている文房具。
【請求項２】
前記マーカーが、種類の異なる第１及び第２のマーカーである
請求項１に記載の文房具。
【請求項３】
付箋紙を積層してなる文房具であって、
前記付箋紙の最上段には、
一定の幅により水平方向に延長する帯状領域により見出し記入欄が設けられ、
前記付箋紙の前記見出し記入欄の下側領域には、当該下側領域を水平方向に第１、第２、第３の領域に等分割する罫線が設けられている文房具。
【考案の詳細な説明】
【技術分野】
【０００１】
本考案は、文房具に関し、特にノート、付箋紙等に関する。
【背景技術】
【０００２】
従来より、ノート等の文房具に関して、例えば引用文献１に開示のように、使い勝手を向上する工夫が種々に提案されている。
【先行技術文献】
【特許文献】
【０００３】
特開２０１６−５５５６５号公報
【考案の概要】
【考案が解決しようとする課題】
【０００４】
ところでノートは、当然に、記載内容を容易に把握可能に、さらには理解可能に記載できることが望まれる。また同様に、付箋紙にあっても、記載内容を容易に把握可能に、さらには理解可能に種々の情報を記載できることが望まれる。
【０００５】
本考案は、これらの点を考慮してなされたもので、記載内容を容易に把握可能に、さらには理解可能に記載することができるノート、付箋紙等の文房具を提案することを目的とする。
【課題を解決するための手段】
【０００６】
本考案者らは、最上段に見出し記入欄を設け、その下側領域を領域分割して使用できるようにする、との着想を得、本考案を完成するに至った。
【０００７】
（１）  見開きのページが設けられた文房具であって、
前記見開きのページの最上段には、
一定の幅により水平方向に延長する帯状領域により見出し記入欄が設けられ、
前記見開きのページの前記見出し記入欄の下側には、
一定のピッチにより水平線及び垂直線による罫線が設けられて詳細内容の記載欄が設けられ、
前記詳細内容の記載欄を水平方向及び垂直方向に領域分割する境界を設定するためのマーカーが設けられている文房具。
【０００８】
（１）によれば、見出し記入欄に見出し等を記入してインデックスに利用することができ、見開きのページの記載内容を容易に把握可能とし、さらに理解可能とすることができる。また詳細内容の記載欄を、マーカーにより領域分割して使用することができ、このように領域分割する場合には、記載内容を整理して記載することができ、これにより一段と記載内容を容易に把握可能、理解可能とすることができる。
【０００９】
（２）  （１）において、
前記マーカーが、種類の異なる第１及び第２のマーカーである文房具。
【００１０】
（２）によれば、第１、第２のマーカーを選択して使用して領域分割することにより、簡易かつフレキシブルに種々の大きさにより領域設定して使い勝手を向上することができる。
【００１１】
（３）  付箋紙を積層してなる文房具であって、
前記付箋紙の最上段には、
一定の幅により水平方向に延長する帯状領域により見出し記入欄が設けられ、
前記付箋紙の前記見出し記入欄の下側領域には、当該下側領域を水平方向に第１、第２、第３の領域に等分割する罫線が設けられている文房具。
【００１２】
（３）によれば、見出し記入欄に見出し等を記入してインデックスに利用することができ、記載内容を容易に把握可能とし、理解可能とすることができる。また見出し記入欄の下側領域を領域分割して使用することにより、この下側領域に記載内容を整理して記載することができ、これにより一段と記載内容を容易に把握可能とし、理解可能とすることができる。
【考案の効果】
【００１３】
本考案によれば、記載内容を容易に把握可能に、記載することができる。
【図面の簡単な説明】
【００１４】
【図１】本考案の第１実施形態に係るノートの見開きのページを示す図である。
【図２】図１の見開きのページの説明に供する図である。
【図３】本考案の第２実施形態に係る付箋紙を示す図である。
【考案を実施するための形態】
【００１５】
〔第１実施形態〕
図１は、本考案の第１実施形態に係る文房具であるノートの見開きのページを示す平面図である。この実施形態のノート１は、左側ページ２、右側ページ３による見開きのページ２、３が繰り返されている。
【００１６】
ここでノート１の各ページ２、３には、記述に影響を与えない程度であって、かつ視認可能な明るさにより種々に罫線が設けられている。見開きのページ２、３は、この罫線による枠取りにより、最上段に見出し記入欄４が設けられる。ここで見出し欄４は、一定の幅により水平方向に延長する帯状領域により形成される。見出し欄４は、この見開きのページ２、３に記載する内容の見出しを記録する欄であり、種々の大きさの文字、記号等を記録して、ユーザーの利便を向上できるように、白紙の領域により形成される。なお見出し欄４には、罫線を設けるようにしてもよい。
【００１７】
これによりノート１は、この見出し欄４に、記載内容の見出し（タイトル）、記載日時、記載した場所等の記載に係る各種の情報を記録して、さらには記載内容のインデックスの情報等を記録して、記載内容を容易に把握できるように、さらには記載内容を容易に理解できるようにし、これらにより使い勝手を向上できるように構成される。
【００１８】
さらにノート１は、この見開きのページ２、３の残りの領域が詳細内容の記載欄５に割り当てられ、一定のピッチにより水平線、垂直線の罫線が設けられる。ここでノート１は、使用目的（例えば学科等）に応じて種々の種類が提供されており、この詳細内容の記載欄５における罫線のピッチは、このノート１の種類に応じて設定されている。またこの詳細内容の記載欄５においては、このノート１の使用目的に対応する種類に応じて、水平線及び垂直線で罫線のピッチが異なるよう設定されたり、水平線及び垂直線で罫線が異なる線種（例えば実線、破線等である）により作製されたりし、これにより使い勝手を向上できるようにする。
【００１９】
すなわち例えば英語にあっては、垂直線の罫線に比して水平線の罫線の方が目立つように設定して使い勝手を向上することでき、これにより例えば垂直線の罫線が破線とされ、水平線の罫線が実線とされる。また理科、社会等にあっても、同様に横書きによりノートを取ることにより、垂直線を破線とし、水平線を実線とすることにより使い勝手を向上することができる。これに対して国語、打合せのメモにあっては、垂直線及び水平線の罫線を共に実線により作製して使い勝手を向上できると考えられる。
【００２０】
さらにこの実施形態において、このように垂直線及び水平線による罫線を設けた詳細内容の記載欄５には、水平方向にマーカーＭ１Ｈ、Ｍ２Ｈ、垂直方向にマーカーＭ１Ｖ、Ｍ２Ｖ、Ｍ３Ｖが設けられ、これによりこのマーカーＭ１Ｈ、Ｍ２Ｈ、Ｍ１Ｖ、Ｍ２Ｖ、Ｍ３Ｖにより詳細内容の記載欄５を領域分割して、整理して記載することができ、記載内容を容易に把握可能に記載することができ、さらには容易に理解可能に記載内容を記載できるように構成される。
【００２１】
より具体的に、左側ページ２、右側ページ３の水平方向のほぼ中央に設けられた垂直線による罫線の両端部には、黒色の三角印による第１のマーカーＭ１Ｈが設けられ、これによりこの第１のマーカーＭ１Ｈが設けられている垂直線の罫線を辿るように垂直線を線引きすることにより、この詳細内容の記載欄５を水平方向に３つの領域に分割して使用できるように構成される。
【００２２】
またこの黒色三角印による第１のマーカーＭ１Ｈの水平方向両側、左側ページ２、右側ページ３をそれぞれ水平方向に３等分する箇所に設けられた垂直線の罫線の両端部に、白丸形状の第２のマーカーＭ２Ｈが設けられ、これによりこの第２のマーカーＭ２Ｈにより、マーカーＭ１Ｈに基づいて形成される３つの領域の大きさを変更したり、さらには詳細内容の記載欄５の水平方向に係る分割数を変更したりできるように構成される。しかしてこのように第１及び第２のマーカーＭ１Ｈ、Ｍ２Ｈにより領域分割することにより、迅速に、簡易かつ確実に領域分割することができる。なおこのようにマーカーを基準にして垂直線による罫線を辿って領域分割する代わりに、さらにはこれに加えて、マーカーが設けられていない垂直線の罫線を利用して領域分割できることは言うまでも無い。
【００２３】
また詳細内容の記載欄５には、垂直方向のほぼ中央に設けられた水平線による罫線の両端部に、太線により第１のマーカーＭ１Ｖが設けられ、これによりこの第１のマーカーＭ１Ｖを基準にして水平線の罫線を辿るように水平線を線引きすることにより、この詳細内容の記載欄５を垂直方向に２つの領域に分割して使用できるように構成される。
【００２４】
またこの太線による第１のマーカーＭ１Ｖの上下の領域を、それぞれ１／２に分割する部位に設けられた水平線による罫線の両端部には、黒丸形状の第２のマーカーＭ２Ｖが設けられる。またこの黒丸形状の第２のマーカーＭ２Ｖの中央側の部位には、白丸形状による第３のマーカーＭ３Ｖが設けられる。これらにより詳細内容の記載欄５を垂直方向に種々の領域に分割して使用できるように構成される。ここで第２のマーカーＭ２Ｖは、第１のマーカーＭ１Ｖにより分割された領域をそれぞれ２分割するためのマーカーである。また第３のマーカーＭ３Ｖは、詳細内容の記載欄５を垂直方向に３等分するためのマーカーである。
【００２５】
これによりノート１は、上下方向についても、領域分割して使用できるように構成される。これによりノート１は、詳細内容の記載欄５を種々に分割して使い勝手を向上できるように構成される。なお上下方向についても、マーカーを基準にして水平線による罫線を辿って領域分割する代わりに、さらにはこれに加えて、マーカーが設けられていない水平線の罫線を利用して領域分割できることは言うまでも無い。
【００２６】
すなわち図２（Ａ）に示すように、見出し欄４に、見出し、タイトル、記載日時等を記載してインデックスとして利用することができる。またさらに詳細内容の記載欄５を水平方向に３つの領域Ａ１、Ａ２、Ａ３に分割して、例えばこの３つの領域Ａ１〜Ａ３により左側領域Ａ１から右側領域Ａ３に向かう階層構造により記録することにより、後日、この記録の内容を迅速かつ確実に把握し、理解することができる。具体的に、例えば最も左側領域Ａ２を事象の記録に割り当て、続く領域Ａ２をその事象の解釈に割り当て、さらに最も右側の領域Ａ３を対応記録の領域に割り当て、これにより例えば特定の事象に係る記録を整理して記録して、容易に理解し、把握できるようにすることができる。またこの場合、例えば３つの領域Ａ１、Ａ２、Ａ３をそれぞれ従来例、課題、実施例の記録に割り当て、発明ノートとして整理して記録することもできる。また例えば英語のノートに適用して、領域Ａ１、Ａ２、Ａ３をそれぞれ文章、文章中の単語、単語の意味の記録欄に割り当てて、整理して英語の理解に利用することができる。また必要に応じて各領域Ａ１、Ａ２、Ａ３の大きさを種々に変更することができる。
【００２７】
また例えば図２（Ｂ）に示すように、詳細内容の記載欄５を水平方向及び垂直方向にそれぞれ３等分して９つの領域Ａ１〜Ａ９を設け、例えば垂直方向の分割により時系列により記載内容を分類して、図２（Ａ）について上述したと同様にして種々の内容を記録することができる。また２次元の変数により定義される事象を解釈して記録することができる。
【００２８】
また図２（Ｃ）に示すように、詳細内容の記載欄５を水平方向及び垂直方向にそれぞれ４等分及び２等分して８つの領域Ａ１〜Ａ８を設けたり、さらには図２（Ｄ）に示すように詳細内容の記載欄５を水平方向及び垂直方向にそれぞれ４等分して１６の領域Ａ１〜Ａ１６を設けたりして、種々に利用を図ることができる。
【００２９】
以上の構成によれば、見出し記入欄を設けることにより、この記入欄に見出し等を記入してインデックスに利用することができ、見開きのページの記載内容を容易に把握可能とし、さらに理解可能とすることができる。また詳細内容の記載欄を、マーカーにより領域分割して使用することができ、これにより記載内容を整理して記載することができ、記載内容を容易に把握可能、理解可能とすることができる。
【００３０】
また種類の異なる第１及び第２のマーカーを設けることにより、この第１及び第２のマーカーを選択的に使用して領域分割するこができ、これにより簡易かつフレキシブルに種々の大きさにより領域設定して使い勝手を向上することができる。
【００３１】
〔第２実施形態〕
図３は、付箋紙を示す図である。この実施形態に係る文房具は、この図３に示す付箋紙１１が容易に剥離可能に積層されて構成される。
【００３２】
この付箋紙１１は、最上段に、一定の幅により水平方向に延長する帯状領域により見出し記入欄４が設けられ、さらに付箋紙１１の見出し記入欄４の下側領域には、詳細内容の記載欄５が設けられ、この詳細内容の記載欄５を水平方向に第１、第２、第３の領域Ａ１、Ａ２、Ａ３に等分割する罫線が設けられている。
【００３３】
これによりこの実施形態では、付箋紙１１に関して、見出し記入欄４に見出し等を記入してインデックスに利用することができ、領域Ａ１、Ａ２、Ａ３に記載の内容を容易に把握可能とし、さらには理解可能とすることができる。また詳細内容の記載欄５を領域Ａ１、Ａ２、Ａ３により領域分割して使用することにより、この詳細内容の記載欄５に記載内容を整理して記載することができ、これにより一段と記載内容を容易に把握可能とし、理解可能とすることができる。
【００３４】
またさらにこの実施形態において、見出し記入欄４にあっては、水平線による罫線が垂直方向の中央に設けられ、これによりに段書により使用する場合等の使い勝手を向上する。またこの中央に設けられた罫線は、見出し記入欄４の設定に係る枠形状による罫線に、両端部が接触しないように（この枠形状の罫線に対して両端部が一定の間隔だけ離間するように）、設けられ、これにより例えば２段書により見出し記入欄４に記載した内容を取り違えたりしないように設定される。また、見出し記入欄４で、記載が２段書にされていても、見出し記入欄４の範囲で同じ階層（概念）のものであることが理解される。
また、例えば階層構造により３つの領域Ａ１、Ａ２、Ａ３を記載する場合には、この３つの領域Ａ１、Ａ２、Ａ３の記載内容が、同一階層の異なる分類に区分される内容であることを視覚的に理解させることができる。すなわちこの場合、見出し記入欄４に２段書により記載した内容が、この３つの領域Ａ１、Ａ２、Ａ３の記載内容が、見出し記入欄４に係る内容であることを視覚的に理解させることができる。
【００３５】
また詳細内容の記載欄５を領域Ａ１、Ａ２、Ａ３に分割する垂直線による罫線にあっては、詳細内容の記載欄５の設定に係る枠形状による罫線に対して上側端は接触するのに対し、下側端は、接触しないように（この枠形状の罫線に対して下側端の端部が一定の間隔だけ離間するように）、設けられる。これによりこの３つの領域Ａ１、Ａ２、Ａ３に記載した内容を取り違えたりしないように設定される。すなわちこの場合、例えば階層構造によりこの３つの領域Ａ１、Ａ２、Ａ３を記載する場合には、この３つの領域Ａ１、Ａ２、Ａ３の記載内容が、同一階層の異なる分類に区分される内容であることを視覚的に理解させることができる。
【００３６】
〔他の実施形態〕
以上、本考案の実施に好適な具体的な構成を詳述したが、本考案は、本考案の趣旨を逸脱しない範囲で、上述の実施形態を種々に変更することができる。
【００３７】
すなわち上述の第１実施形態では、水平方向に第１及び第２のマーカーを配置し、垂直方向に第１〜第３のマーカーを配置する場合について述べたが、本考案はこれに限らず、種々の種類のマーカーを配置することができる。またマーカーの形状にあっても、種々の形状を適用することができる。
【符号の説明】
【００３８】
１  ノート
２、３  ページ
４  見出し記入欄
５  詳細内容の記載欄
１１  付箋紙
Ｍ１Ｈ、Ｍ２Ｈ、Ｍ１Ｖ、Ｍ２Ｖ、Ｍ３Ｖ  マーカー
【図１】
0003207144.tif 000003
【図２】
0003207144.tif 000004
【図３】
0003207144.tif 000005